(57)【要約】  空気調和機の室外機１は、側面に吸込み口４ａ、４ｂが形成され、上面に吹出し口１０が形成された箱体形状の筐体２と、筐体２の上部側の内部に設けられ、吸込み口４ａ、４ｂから吸い込まれた外気を吹出し口１０から排出するファン１２と、吸込み口４ａ、４ｂに沿って筐体２の内部に設けられた熱交換器５と、を備え、熱交換器５は、筐体２の上部に配置される上部熱交換器５ａと、筐体２の下部に配置される下部熱交換器５ｂと、で構成され、平面視して、筐体２は縦横で幅が異なっており、筐体２の上部の短手方向の幅は、筐体２の上部の短手方向の幅よりも長いものである。
2016181560.tif 000002
【特許請求の範囲】
【請求項１】
側面に吸込み口が形成され、上面に吹出し口が形成された箱体形状の筐体と、
前記筐体の上部側の内部に設けられ、前記吸込み口から吸い込まれた外気を前記吹出し口から排出するファンと、
前記吸込み口に沿って前記筐体の内部に設けられた熱交換器と、を備え、
前記熱交換器は、前記筐体の上部に配置される上部熱交換器と、前記筐体の下部に配置される下部熱交換器と、で構成され、
平面視して、
前記筐体は縦横で幅が異なっており、
前記筐体の上部の短手方向の幅は、前記筐体の上部の短手方向の幅よりも長い
空気調和機の室外機。
【請求項２】
平面視して、
前記筐体の上部の長手方向の幅は、前記筐体の下部の長手方向の幅と同じ長さである
請求項１に記載の空気調和機の室外機。
【請求項３】
前記下部熱交換器は、
平面視して、
前記筐体の短手方向の一側面に配置されている
請求項１または２に記載の空気調和機の室外機。
【請求項４】
前記一側面に前記上部熱交換器と前記下部熱交換器とが配置されており、
該下部熱交換器の外面が該上部熱交換器の外面よりも前記筐体の内側に配置されている
請求項３に記載の空気調和機の室外機。
【請求項５】
前記一側面と対向する側面に、前記上部熱交換器と、前記上部熱交換器の下側に設けられ、風の通過を防ぐ遮風板と、が配置されており、
該遮風板の外面が該上部熱交換器の外面よりも前記筐体の内側に配置されている
請求項４に記載の空気調和機の室外機。
【請求項６】
前記上部熱交換器と前記下部熱交換器との間に風の通過を防ぐ第二遮風板が設けられている
請求項４または５に記載の空気調和機の室外機。
【請求項７】
前記上部熱交換器は、
平面視してＬ字状の第一上部熱交換器および第二上部熱交換器で構成され、
前記第一上部熱交換器および前記第二上部熱交換器は、
前記筐体の長手方向に配置される第一直線部と、
前記筐体の短手方向に配置される第二直線部と、
前記第一直線部と前記第二直線部との間の角部と、でそれぞれ構成され、
前記第一直線部と前記第二直線部とでなす角度が鈍角となっている
請求項１〜６のいずれか一項に記載の空気調和機の室外機。
【請求項８】
前記上部熱交換器の前記第一直線部は、前記筐体の下部の長手方向と平行である
請求項７に記載の空気調和機の室外機。
【請求項９】
前記上部熱交換器は一体形成され、前記筐体の上部の四側面に配置されている
請求項１〜６のいずれか一項に記載の空気調和機の室外機。
【請求項１０】
前記下部熱交換器は、
前記筐体の三側面に配置されている
請求項１〜９のいずれか一項に記載の空気調和機の室外機。
【発明の詳細な説明】
【技術分野】
【０００１】
本発明は、ファンの回転によって発生させた気流を熱交換器に通す上吹出し型の空気調和機の室外機に関するものである。
【背景技術】
【０００２】
上吹出し型の空気調和機の室外機では、ファンの回転によって発生させた気流を熱交換器に通すことにより、外気と冷媒との熱交換を行う。
室外機の能力を増加させるためには、熱交換器の容積を増加させたり、ファンにより発生する風量を増加させたりすることが望ましいが、熱交換器の容積を増加させると室外機の設置面積が増えてしまう。【０００３】
従来、室外機の設置面積を維持しつつ熱交換器の容積を増加させた空気調和機の室外機がある（たとえば、特許文献１参照）。
特許文献１は、縦横で幅が異なる箱体形状の筐体の上部の四側面に熱交換器を配置することにより、設置面積を維持しつつ熱交換器の容積を増加させている。さらに、熱交換器を通過する気流の風速分布が均一化されて偏流がなくなり、機内圧損およびファン騒音を低減している。
【先行技術文献】
【特許文献】
【０００４】
【特許文献１】特開２００３−２５４５６５号公報
【発明の概要】
【発明が解決しようとする課題】
【０００５】
特許文献１に記載されているように、筐体幅が縦横に異なる室外機においては、長手方向と短手方向とで、熱交換器とファンとの距離差があるため、熱交換器を通過する気流の風速分布が不均一となる。特に、熱交換器とファンとの距離が短い短手方向では、熱交換器の通過風速が大きくなり、通風抵抗が増し、機内圧損が増大するという課題があった。また、ファンによって筐体の側面の吸込み口から内部へ吸い込まれる風の速度がファンの回転方向に偏るため、ファンによる吸込み直前の流れが乱れて翼周りでエネルギーロスが発生し、ファン騒音の増大および消費電力の増加を招くという課題があった。【０００６】
本発明は、以上のような課題を考慮してなされたもので、ファン騒音低減および熱交換効率向上を実現することができる空気調和機の室外機を得ることを目的とする。
【課題を解決するための手段】
【０００７】
本発明に係る空気調和機の室外機は、側面に吸込み口が形成され、上面に吹出し口が形成された箱体形状の筐体と、前記筐体の上部側の内部に設けられ、前記吸込み口から吸い込まれた外気を前記吹出し口から排出するファンと、前記吸込み口に沿って前記筐体の内部に設けられた熱交換器と、を備え、前記熱交換器は、前記筐体の上部に配置される上部熱交換器と、前記筐体の下部に配置される下部熱交換器と、で構成され、平面視して、前記筐体は縦横で幅が異なっており、前記筐体の上部の短手方向の幅は、前記筐体の上部の短手方向の幅よりも長いものである。
【発明の効果】
【０００８】
本発明に係る空気調和機の室外機によれば、筐体の上部の短手方向の幅を筐体の下部の短手方向の幅よりも長くしたため、室外機の設置面積を増加することなくファンが近い筐体の上部の風路を確保することができ、筐体の側面の吸込み口から内部へ吸い込まれる風の速度分布を均一化できるため、ファン騒音低減および熱交換効率向上を実現することができる。
【図面の簡単な説明】
【０００９】
【図１】本発明の実施の形態１に係る空気調和機の室外機の斜視図である。
【図２】本発明の実施の形態１に係る空気調和機の室外機から筐体の上面を取り外した斜視図である。
【図３】本発明の実施の形態１に係る空気調和機の室外機の横断面を説明する図である。
【図３ａ】図３のＡ−Ａ断面模式図である。
【図３ｂ】図３のＢ−Ｂ断面模式図である。
【図４】本発明の実施の形態１に係る空気調和機の室外機の動作を説明する図である。
【図４ａ】図４のＡ−Ａ断面模式図である。
【図４ｂ】図４のＢ−Ｂ断面模式図である。
【図５】従来の空気調和機の室外機の縦断面を説明する図である。
【図５ａ】図５のＣ−Ｃ断面模式図である。
【図５ｂ】図５のＤ−Ｄ断面模式図である。
【図６】本発明の実施の形態１に係る空気調和機の室外機の内部の風の流れを示す模式図である。
【図７】本発明の実施の形態１に係る空気調和機の室外機の縦断面を説明する図である。
【図７ａ】図７のＣ−Ｃ断面模式図である。
【図７ｂ】図７のＤ−Ｄ断面模式図である。
【図８ａ】本発明の実施の形態１に係る空気調和機の室外機の設置例を示す斜視図である。
【図８ｂ】本発明の実施の形態１に係る空気調和機の室外機の設置例を示す正面視図である。
【図９】本発明の実施の形態２に係る空気調和機の室外機から筐体の上面を取り外した斜視図である。
【図１０】本発明の実施の形態２に係る空気調和機の室外機の横断面および縦断面を説明する図である。
【図１０ａ】図１０のＡ−Ａ断面模式図である。
【図１０ｂ】図１０のＢ−Ｂ断面模式図である。
【図１０ｃ】図１０のＤ−Ｄ断面模式図である。
【図１１】本発明の実施の形態３に係る空気調和機の室外機から筐体の上面を取り外した斜視図である。
【図１２】本発明の実施の形態３に係る空気調和機の室外機の横断面および縦断面を説明する図である。
【図１２ａ】図１２のＡ−Ａ断面模式図である。
【図１２ｂ】図１２のＢ−Ｂ断面模式図である。
【図１２ｃ】図１２のＤ−Ｄ断面模式図である。
【図１３】本発明の実施の形態４に係る空気調和機の室外機から筐体の上面を取り外した斜視図である。
【図１４】本発明の実施の形態４に係る空気調和機の室外機の横断面および縦断面を説明する図である。
【図１４ａ】図１４のＡ−Ａ断面模式図である。
【図１４ｂ】図１４のＢ−Ｂ断面模式図である。
【図１４ｃ】図１４のＣ−Ｃ断面模式図である。
【図１４ｄ】図１４のＤ−Ｄ断面模式図である。
【図１５】本発明の実施の形態５に係る空気調和機の室外機の横断面を説明する図である。
【図１５ａ】図１５のＡ−Ａ断面模式図である。
【図１５ｂ】図１５のＢ−Ｂ断面模式図である。
【図１６】図１５ａの拡大図である。
【図１７】図１５ａの断面模式図と図１５ｂの断面模式図とを重ね合わせた図である。
【図１８】図１５ａの説明図である。
【図１９】本発明の実施の形態６に係る空気調和機の室外機の横断面を説明する図である。
【図１９ａ】図１９のＡ−Ａ断面模式図である。
【図１９ｂ】図１９のＢ−Ｂ断面模式図である。
【図２０】図１９ａの拡大図である。
【図２１】図１９ａの断面模式図と図１９ｂの断面模式図とを重ね合わせた図である。
【図２２】図１９ａの説明図である。
【図２３】本発明の実施の形態７に係る空気調和機の室外機から筐体の上面を取り外した斜視図である。
【図２４】本発明の実施の形態７に係る空気調和機の室外機の横断面および縦断面を説明する図である。
【図２４ａ】図２４のＡ−Ａ断面模式図である。
【図２４ｂ】図２４のＢ−Ｂ断面模式図である。
【図２５】本発明の実施の形態８に係る空気調和機の室外機の縦断面を説明する図である。
【図２５ａ】図２５のＤ−Ｄ断面模式図である。
【図２６】本発明の実施の形態９に係る空気調和機の室外機の縦断面を説明する図である。
【図２６ａ】図２６のＤ−Ｄ断面模式図である。
【図２７ａ】本発明の実施の形態９に係る空気調和機の室外機の設置例を示す斜視図である。
【図２７ｂ】本発明の実施の形態９に係る空気調和機の室外機の設置例を示す正面視図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、以下において、上下左右方向および前後方向は、空気調和機の室外機を正面視した状態における方向であるものとする。
【００１１】
実施の形態１．
図１は、本発明の実施の形態１に係る空気調和機の室外機１の斜視図であり、図２は、本発明の実施の形態１に係る空気調和機の室外機１から筐体２の上面を取り外した斜視図である。なお、図１において、説明のため室外機１の中身を一部点線で示している。
本実施の形態１に係る空気調和機は、室内機（図示せず）と室外機１との間で冷媒を循環させることにより冷凍サイクルを構成する。室外機１は、外郭を構成する筐体２と、筐体２の内部に収納されているユニット内機器３と、熱交換器５と、送風機３０と、を備えている。
【００１２】
筐体２は、上面、下面、および四側面からなる箱体形状を有し、平面視して縦横で幅が異なっており、短手方向の幅において、上部が下部よりも長くなっている。
また、筐体２の上部の四側面にはそれぞれ吸込み口４ａが形成され、筐体２の下部の四側面のうちの一側面にも吸込み口４ｂが形成されている。
【００１３】
熱交換器５は、冷媒と空気との熱交換を行うものであり、互いに独立した上部熱交換器５ａと下部熱交換器５ｂとで構成されている。そして、上部熱交換器５ａは、筐体２の上部の側面に形成された吸込み口４ａに沿って筐体２の内部に設けられており、下部熱交換器５ｂは、筐体２の下部の側面に形成された吸込み口４ｂに沿って筐体２の内部に設けられている。
【００１４】
筐体２の上部の吸込み口４ｂが形成されていない側面には上部側面パネル６ａが、筐体２の下部の吸込み口４ｂが形成されていない側面には下部側面パネル６ｂが、それぞれ設けられている。そして、側面パネル６（上部側面パネル６ａおよび下部側面パネル６ｂの総称）は、遮風材であり、気流を室外機１の内部へ通さないようになっている。
また、筐体２の角部には、筐体２の構造を保持するためのＬ字型の（またはＬ字面取りが施された）支柱７が設けられており、側面パネル６は、支柱７にネジ止めまたは嵌め込みなどで固定されている。
【００１５】
なお、側面パネル６は、本発明の「遮風板」に相当する。
【００１６】
筐体２の上面には、上部熱交換器５ａの上端を覆い、吹出し口１０が形成された天板８と、天板８の上面に吹出し口１０を囲むように設けられ、吹出し口１０と連通する開口部を有するベルマウス１１と、が設けられている。そして、ベルマウス１１の開口部にはそれを塞ぐように、格子状に配置された桟で構成された円形状のガード１８が設けられている。
また、筐体２の下面には、ユニット内機器３（の一部）および下部熱交換器５ｂを載置する底板９が設けられている。
【００１７】
ユニット内機器３は、圧縮機、電磁弁、伝熱管（冷媒管）などの冷凍サイクルを構成する冷凍サイクル機器と、冷凍サイクル機器および送風機３０を駆動制御する駆動制御機器と、を備えている。
【００１８】
送風機３０は、図２に示すように室外機１の高さ方向に沿った軸線Ａを中心に回転するファン１２と、連結されたファン１２を回転駆動するファンモータ（駆動部）１３と、を備えている。また、ファンモータ１３は、モータサポート１４で支持されている。送風機３０は、筐体２の内部において、軸線Ａ方向、かつ、ユニット内機器３に対して上方へずらして配置されている。つまり、送風機３０（ファン１２）は、筐体２の（下部側よりも）上部側に設けられている
【００１９】
ファン１２は、軸線Ａと同軸に配置されたボス１５と、ボス１５の外周部に設けられた複数（この例では４つ）の翼１６とを有するプロペラファンであり、吹出し口１０に臨ませて設けられている。各翼１６は、ボス１５の周方向へ互いに離して配置されている。ファンモータ１３は、ファン１２の下方に配置されている。
【００２０】
図３は、本発明の実施の形態１に係る空気調和機の室外機１の横断面を説明する図であり、図３ａは、図３のＡ−Ａ断面模式図であり、図３ｂは、図３のＢ−Ｂ断面模式図である。
図３ａおよび図３ｂは、筐体２をファン１２の軸線Ａ方向に対して垂直に切った横断面模式図であり、図３ａは、筐体２の上部の断面模式図であり、図３ｂは、筐体２の下部の断面模式図である。なお、図３ａおよび図３ｂでは、ファン１２と熱交換器５との位置関係を示すため、ファン１２を図示している。
【００２１】
図３ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【００２２】
なお、上部熱交換器５ａ１は本発明の「第一上部熱交換器」に相当、上部熱交換器５ａ２は本発明の「第二上部熱交換器」に相当する。
【００２３】
また、図３ｂに示すように、筐体２の下部の側面は、下部熱交換器５ｂと、平面視して略Ｃ字状の下部側面パネル６ｂとで構成されている。下部熱交換器５ｂは、平板状を有し、筐体２の下部の四側面のうちの長手方向の一側面を構成するように配置されている。
【００２４】
なお、本実施の形態１に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【００２５】
図３ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【００２６】
図３ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部熱交換器５ｂに対して垂直方向に配置された下部側面パネル６ｂの外面の距離で定義し、縦幅ｌｂは、下部熱交換器５ｂと向かい合う下部側面パネル６ｂの外面の短手方向の外面長さで定義する。
【００２７】
図４は、本発明の実施の形態１に係る空気調和機の室外機１の動作を説明する図であり、図４ａは、図４のＡ−Ａ断面模式図であり、図４ｂは、図４のＢ−Ｂ断面模式図である。
以下、本実施の形態１に係る空気調和機の室外機１の動作について説明する。
本実施の形態１に係る室外機１は上吹き出し型であり、ファン１２の回転により発生した風（気流）Ｖａ１、Ｖａ２、Ｖｂは、図４に示すように筐体２の側面の吸込み口４ａ、４ｂから筐体２の内部へ入り、筐体２に内部から吹出し口１０を通って筐体２の外部へ出るようになっている。ここで、風Ｖａ１は、上部熱交換器５ａを短手方向に通過する風、風Ｖａ２は、上部熱交換器５ａを長手方向に通過する風、風Ｖｂは、下部熱交換器５ｂを通過する風とする。
【００２８】
なお、風（気流）は、本発明の「外気」に相当する。
【００２９】
風が筐体２の内部へ入る際に熱交換器５が配置される部分を通ることにより、熱交換器５の伝熱管（図示せず）を通る冷媒と風との間で熱交換が行われる。また、側面パネル６が配置されている部分では、筐体２の側面から筐体２の内部への風の流入が阻止される。
そして、ファン１２に近い上部熱交換器５ａを通る風Ｖａ１、Ｖａ２は、ファン１２から遠い下部熱交換器５ｂを通る風Ｖｂよりも、ファン１２の回転方向１７において広い範囲から筐体２の内部へ流入する。
【００３０】
したがって、ファン１２に近い上部熱交換器５ａが配置されている上流領域では、ファン１２から遠い下部熱交換器５ｂが配置されている下流領域よりも、筐体２の側面の吸込み口４ａ、４ｂから筐体２の内部へ吸い込まれる風の速度分布（以下、吸込み風速分布と称する）の偏りがファン１２の回転方向において小さくなる。
【００３１】
図５は、従来の空気調和機の室外機の縦断面を説明する図であり、図５ａは、図５のＣ−Ｃ断面模式図であり、図５ｂは、図５のＤ−Ｄ断面模式図である。
図５ａおよび図５ｂは、筐体５０をファン５２の軸線Ａ０方向に対して平行に切った縦断面模式図であり、図５ａは、ファン５２の軸線Ａ０を含む長手方向の断面模式図であり、図５ｂは、ファン５２の軸線Ａを含む短手方向の断面模式図である。
【００３２】
従来では、図５ａに示す長手方向の上部熱交換器５１の外面とファン５２の軸線Ａ０との距離Ｘ０は、図５ｂに示す短手方向の上部熱交換器５１の外面とファン５２の軸線Ａ０との距離Ｙ０よりも長くなっている。つまり、短手方向は長手方向よりもファン５２の翼と上部熱交換器５１との距離が短い。その結果、図５ａおよび図５ｂに示すように、上部熱交換器５１の通過風速において、短手方向における風Ｖ０ａ１の方が長手方向における風Ｖ０ａ２よりも速く、上部熱交換器５１の通過風速に偏りがある。
【００３３】
また、短手方向は長手方向よりもファン５２の翼と上部熱交換器５１との距離が短いため、短手方向の上部熱交換器５１を通過した風Ｖ０ａ１は、長手方向の上部熱交換器５１を通過した風Ｖ０ａ２よりもファン５２の翼の内周側に流入する。ファン５２の内周側はモーメントが小さく、翼の効率が低い箇所であるため、短手方向から吸込んだ風Ｖ０ａ１の送風効率は、長手方向から吸込んだ風Ｖ０ａ２よりも低い。
【００３４】
図６は、本発明の実施の形態１に係る空気調和機の室外機１の内部の風の流れを示す模式図である。
図６に示すように、吸込み口４ｂから流入し、下部熱交換器５ｂを通過した風Ｖｂの一部の風Ｖｂ１は、上方の吹出し口１０に向かって流れ、風Ｖｂの一部の風Ｖｂ２は、室外機１の下面である底板９を這い、下部熱交換器５ｂに隣接するまたは向かい合う下部側面パネル６ｂに沿って上方の吹出し口１０に向かって流れる。
【００３５】
図７は、本発明の実施の形態１に係る空気調和機の室外機１の縦断面を説明する図であり、図７ａは、図７のＣ−Ｃ断面模式図であり、図７ｂは、図７のＤ−Ｄ断面模式図である。
図７ａおよび図７ｂは、筐体２をファン１２の軸線Ａ方向に対して平行に切った縦断面模式図であり、図７ａは、ファン１２の軸線Ａを含む長手方向の断面模式図であり、図７ｂは、ファン１２の軸線Ａを含む短手方向の断面模式図である。
【００３６】
本実施の形態１では、図７ａに示す長手方向の上部熱交換器５ａの外面とファンの軸線Ａとの距離Ｘは、図７ｂに示す短手方向の上部熱交換器５ａの外面とファンの軸線Ａとの距離Ｙよりも長くなっているが、距離Ｙを距離Ｙ０よりも長くしている。このように、短手方向の距離Ｙを長手方向の距離Ｘに近づけたため、従来に比べて短手方向と長手方向とで熱交換器５の通過風速を均一化することができる。なお、距離Ｘは距離Ｘ０と同じである。
【００３７】
また、図３（ａ）および図３（ｂ）に示すように、ファン１２から遠い下部熱交換器５ｂが一側面を構成している筐体２の下部の縦幅ｌｂに対して、ファン１２に近い上部熱交換器５ａが四側面を構成している筐体２の上部の縦幅Ｌｂが長くなるよう構成されている。
【００３８】
つまり、本実施の形態１に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【００３９】
そのため、ファン１２周囲の空間（筐体２の上部の風路）が拡大し、ファン１２の軸線Ａと上部熱交換器５ａとの距離が短手方向と長手方向とで均一化されるため、ファン１２の回転方向において吸込み風速分布が均一化される。
【００４０】
また、従来は図５ｂに示すように、短手方向は長手方向よりもファン５２の翼と上部熱交換器５１との距離が短いため（つまり、Ｙ０＜Ｘ０）、短手方向の上部熱交換器５１を通過した風Ｖ０ａ１は、長手方向の上部熱交換器５１を通過した風Ｖ０ａ２よりもファン５２の翼の内周側に偏って流入していた。それに対して本実施の形態１では、図７ｂに示すように、ファン１２の軸線Ａと短手方向の上部熱交換器５ａとの距離Ｙが、距離Ｙ０よりも長くなっているため、短手方向の上部熱交換器５ａを通過した風Ｖａ１は、従来に比べてファン１２の翼１６の外周側に吸引されやすくなる。
【００４１】
また、図７ａおよび図７ｂに示すように下部熱交換器５ｂを通過した風Ｖｂ１の一部の風Ｖｂ２は、室外機１の下面である底板９を這って下部側面パネル６ｂに沿って上方に向かって流れるため、下部側面パネル６ｂの外面を上部熱交換器５ａの外面よりも内側に配置した箇所においては、風Ｖｂ２はファン１２の翼１６の内周側へ流入し、ファン１２の径方向の風速分布が均一化される。
【００４２】
これら効果を合わせて、ファン１２の騒音低減および熱交換効率向上を図ることができる空気調和機の室外機１が実現できる。本実施の形態１に係る効果の一例を述べると、１０馬力のビル用室外機の動作条件で短手方向をファン１２径に対して１０５％から１１０％に拡大することにより、ファン１２の消費電力８％の低減、および騒音１．５ｄＢの低減の改善効果が得られる。
【００４３】
以上より、本実施の形態１では、ファン１２から近い筐体２の上部の縦幅Ｌｂをファン１２から遠い筐体２の下部の縦幅ｌｂよりも長くしたため、底板９の短手方向の幅を筐体２の縦幅に合わせれば、室外機１の設置面積を増加することなく、ファン１２周囲の空間（筐体２の上部の風路）を確保できるため、ファン１２の騒音低減および熱交換効率向上を実現することができる。また、従来に比べて拡大した筐体２の上部の縦幅を、ファン１２径の増加に利用することもでき、室外機１の大風量化を実現することもできる。
【００４４】
図８ａは、本発明の実施の形態１に係る空気調和機の室外機１の設置例を示す斜視図であり、図８ｂは、本発明の実施の形態１に係る空気調和機の室外機１の設置例を示す正面視図である。
さらに、室外機１を設置する場合の利点について述べる。  
本実施の形態１に係る空気調和機の室外機１は大能力用に用いられ、ビルおよび店舗など建物屋上に置かれる例が多い。図８ａに示すように、上方に突出した梁２４が設置されている屋上に配置する例を考えると、本実施の形態１に係る室外機１の短手方向を、平面視して梁２４の長手方向に対して垂直となるように設置することにより、図８ｂに示すように梁２４の上部空間に上部熱交換器５ａが突き出る。そのため、従来使用できなかった梁２４の上部空間を室外機１の設置エリアとして活用でき、屋上のスペースを有効に活用できる。
【００４５】
また、図８ｂに示すように区切られた梁２４の間に２台の室外機１を設置する場合、向かい合う室外機１の間隔を広くすることができるため、吸込み口４ａから吸い込む風をお互いの室外機１で取り合うことが無くなり、ファン１２の消費電力を小さくすることができる。
【００４６】
実施の形態２．
以下、本発明の実施の形態２について説明するが、実施の形態１と重複するものについては（一部の）説明を省略し、実施の形態１と同じ部分または相当する部分には同じ符号を付す。
図９は、本発明の実施の形態２に係る空気調和機の室外機１から筐体２の上面を取り外した斜視図であり、図１０は、本発明の実施の形態２に係る空気調和機の室外機１の横断面および縦断面を説明する図であり、図１０ａは、図１０のＡ−Ａ断面模式図であり、図１０ｂは、図１０のＢ−Ｂ断面模式図であり、図１０ｃは、図１０のＤ−Ｄ断面模式図である。
【００４７】
図１０ａおよび図１０ｂは、筐体２をファン１２の軸線Ａ方向に対して垂直に切った横断面模式図であり、図１０ａは、筐体２の上部の断面模式図であり、図１０ｂは、筐体２の下部の断面模式図である。なお、図１０ａおよび図１０ｂでは、ファン１２と熱交換器５との位置関係を示すため、ファン１２を図示している。また、図１０ｃは、筐体２をファン１２の軸線Ａ方向に対して平行に切った縦断面模式図であり、ファン１２の軸線Ａを含む短手方向の断面模式図である。
【００４８】
本実施の形態２に係る空気調和機の室外機１は、図１０ｂおよび図１０ｃに示すように、筐体２の下部に配置されている下部熱交換器５ｂの位置が実施の形態１と異なっている。
【００４９】
本実施の形態２では、図１０ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【００５０】
また、図１０ｂに示すように、筐体２の下部の側面は、下部熱交換器５ｂと、平面視して略Ｕ字状の下部側面パネル６ｂとで構成されている。下部熱交換器５ｂは、平板状を有し、筐体２の下部の四側面のうちの短手方向の一側面を構成するように配置されている。
【００５１】
なお、本実施の形態２に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【００５２】
図１０ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【００５３】
図１０ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部熱交換器５ｂと向かい合う側面パネル６外面の横方向の長さで定義し、縦幅ｌｂは、下部熱交換器５ｂに対して垂直方向に配置された側面パネル６の外面の短手方向の外面長さで定義する。
【００５４】
本実施の形態２に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【００５５】
図１０ｃに示すように、室外機１の短手方向の一側面において、上部熱交換器５ａ２と下部熱交換器５ｂとは、外面が互いに短手方向にずれた位置に配置されており、下部熱交換器５ｂの外面が上部熱交換器５ａ２の外面よりも筐体２の内側にずれて配置されている。また、短手方向のもう一方の一側面において、側面パネル６と上部熱交換器５ａ１とは、外面が短手方向に揃って設置されている。
【００５６】
本実施の形態２では、実施の形態１と同様に、ファン１２から遠い下部熱交換器５ｂが一側面を構成している筐体２の下部の縦幅ｌｂに対して、ファン１２に近い上部熱交換器５ａが四側面を構成している筐体２の上部の縦幅Ｌｂが長くなるよう構成されている。そのため、ファン１２周囲の空間（筐体２の上部の風路）が拡大し、ファン１２の軸線Ａと上部熱交換器５ａとの距離が短手方向と長手方向とで均一化されるため、ファン１２の回転方向において吸込み風速分布が均一化される。その結果、ファン１２の騒音低減および熱交換効率向上を図ることができる空気調和機の室外機１が実現できる。
【００５７】
また、本実施の形態２では、図１０ｃに示すように、下部熱交換器５ｂが上部熱交換器５ａ２よりも筐体２の内側にずらして配置されているため、下部熱交換器５ｂを通過した風Ｖｂは、上部熱交換器５ａ２を通過した風Ｖａ１よりもファン１２の翼１６の内周側に向かうようになっている。そのため、熱交換器５を通過して上昇する気流の風速分布を短手方向に均一化することができる。
【００５８】
また、実施の形態１に比べて下部熱交換器５ｂの外面を筐体２の内側にずらして配置したため、下部熱交換器５ｂを通過してファン１２に向かう気流の流量が、室外機１の下面を這って流れる気流に比べて多い。そのため、実施の形態１に比べてファン１２の翼１６の内周側へ流れる気流が増加し、ファン１２による吸込み直前の流れをより均一化して乱れを低減し、ファン騒音を低減することができる。
【００５９】
実施の形態３．
以下、本発明の実施の形態３について説明するが、実施の形態１および２と重複するものについては（一部の）説明を省略し、実施の形態１および２と同じ部分または相当する部分には同じ符号を付す。
図１１は、本発明の実施の形態３に係る空気調和機の室外機１から筐体２の上面を取り外した斜視図であり、図１２は、本発明の実施の形態３に係る空気調和機の室外機１の横断面および縦断面を説明する図であり、図１２ａは、図１２のＡ−Ａ断面模式図であり、図１２ｂは、図１２のＢ−Ｂ断面模式図であり、図１２ｃは、図１２のＤ−Ｄ断面模式図である。
【００６０】
図１２ａおよび図１２ｂは、筐体２をファン１２の軸線Ａ方向に対して垂直に切った横断面模式図であり、図１２ａは、筐体２の上部の断面模式図であり、図１２ｂは、筐体２の下部の断面模式図である。なお、図１２ａおよび図１２ｂでは、ファン１２と熱交換器５との位置関係を示すため、ファン１２を図示している。また、図１２ｃは、筐体２をファン１２の軸線Ａ方向に対して平行に切った縦断面模式図であり、ファン１２の軸線Ａを含む短手方向の断面模式図である。
【００６１】
本実施の形態３に係る空気調和機の室外機１は、図１２ｃに示すように、筐体２の下部を構成する下部側面パネル６ｂが配置されている位置が実施の形態２と異なっている。
【００６２】
本実施の形態３では、図１２ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【００６３】
また、図１２ｂに示すように、筐体２の下部の側面は、下部熱交換器５ｂと、平面視して略Ｕ字状の下部側面パネル６ｂとで構成されている。下部熱交換器５ｂは、平板状を有し、筐体２の下部の四側面のうちの短手方向の一側面を構成するように配置されている。
【００６４】
なお、本実施の形態３に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【００６５】
図１２ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【００６６】
図１２ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部熱交換器５ｂと向かい合う側面パネル６の横方向の長さで定義し、縦幅ｌｂは、下部熱交換器５ｂに対して垂直方向に配置された側面パネル６の短手方向の外面長さで定義する。
【００６７】
本実施の形態３に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【００６８】
図１２ｃに示すように、室外機１の短手方向の一側面において、上部熱交換器５ａ２と下部熱交換器５ｂとは、外面が互いに短手方向にずれた位置に配置されており、下部熱交換器５ｂの外面が上部熱交換器５ａ２の外面よりも筐体２の内側に配置されている。また、室外機１の短手方向のもう一方の一側面において、下部側面パネル６ｂと上部熱交換器５ａ１とは、外面が互いに短手方向にずれた位置に配置されており、下部側面パネル６ｂの外面が上部熱交換器５ａ１の外面よりも筐体２の内側に配置されている。
【００６９】
本実施の形態３では、実施の形態１および２と同様に、ファン１２から遠い下部熱交換器５ｂが一側面を構成している筐体２の下部の縦幅ｌｂに対して、ファン１２に近い上部熱交換器５ａが四側面を構成している筐体２の上部の縦幅Ｌｂが長くなるよう構成されている。そのため、ファン１２周囲の空間（筐体２の上部の風路）が拡大し、ファン１２の軸線Ａと上部熱交換器５ａとの距離が短手方向と長手方向とで均一化されるため、ファン１２の回転方向において吸込み風速分布が均一化される。その結果、ファン１２の騒音低減および熱交換効率向上を図ることができる空気調和機の室外機１が実現できる。
【００７０】
また、本実施の形態３では、図１２ｃに示すように、下部熱交換器５ｂが上部熱交換器５ａ２よりも筐体２の内側にずらして配置されているため、下部熱交換器５ｂを通過した風Ｖｂは、上部熱交換器５ａ２を通過した風Ｖａ１よりもファン１２の翼１６内周側に向かうようになっている。そのため、熱交換器５を通過して上昇する気流の風速分布を短手方向に均一化することができる。
【００７１】
また、下部熱交換器５ｂを通過した風Ｖｂの一部の風Ｖｂ１は、圧縮機などユニット内機器３が置かれる底板９を這って下部側面パネル６ｂに沿って上方に向かって流れる。そこで、下部側面パネル６ｂを上部熱交換器５ａ１よりも内側にずらして配置することにより、下部熱交換器５ｂを通過した風Ｖｂの一部の風Ｖｂ１は、上部熱交換器５ａ１を通過した風Ｖａ１よりもファン１２の翼１６の内周側に向かうようになっている。そのため、本実施の形態３では、実施の形態２よりも、熱交換器５を通過して上昇する気流の風速分布を短手方向に均一化することができる。
【００７２】
実施の形態４．
以下、本発明の実施の形態４について説明するが、実施の形態１〜３と重複するものについては（一部の）説明を省略し、実施の形態１〜３と同じ部分または相当する部分には同じ符号を付す。
図１３は、本発明の実施の形態４に係る空気調和機の室外機１から筐体２の上面を取り外した斜視図であり、図１４は、本発明の実施の形態４に係る空気調和機の室外機１の横断面および縦断面を説明する図であり、図１４ａは、図１４のＡ−Ａ断面模式図であり、図１４ｂは、図１４のＢ−Ｂ断面模式図であり、図１４ｃは、図１４のＣ−Ｃ断面模式図であり、図１４ｄは、図１４のＤ−Ｄ断面模式図である。
【００７３】
図１４ａおよび図１４ｂは、筐体２をファン１２の軸線Ａ方向に対して垂直に切った横断面模式図であり、図１４ａは、筐体２の上部の断面模式図であり、図１４ｂは、筐体２の下部の断面模式図である。なお、図１４ａおよび図１４ｂでは、ファン１２と熱交換器５との位置関係を示すため、ファン１２を図示している。また、図１４ｃおよび図１４ｄは、筐体２をファン１２の軸線Ａ方向に対して平行に切った縦断面模式図であり、図１４ｃは、ファン１２の軸線Ａを含む長手方向の断面模式図であり、図１４ｄは、ファン１２の軸線Ａを含む短手方向の断面模式図である。
【００７４】
本実施の形態４に係る空気調和機の室外機１は、図１４ｂに示すように、筐体２の下部を構成する下部熱交換器５ｂおよび側面パネル６の形状が実施の形態３と異なっている。
【００７５】
本実施の形態４では、図１４ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【００７６】
また、図１２ｂに示すように、筐体２の下部の側面は、下部熱交換器５ｂと、平面視して略Ｌ字状の下部側面パネル６ｂとで構成されている。下部熱交換器５ｂは、平面視して略逆Ｊ字状を有し、筐体２の下部の四側面のうちの長手方向の両面および短手方向の一側面を構成するように配置されている。
【００７７】
なお、本実施の形態４に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【００７８】
図１４ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【００７９】
図１４ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部側面パネル６ｂの長手方向の外面長さで定義し、縦幅ｌｂは、下部熱交換器５ｂと、それと向かい合う下部側面パネル６ｂと、の短手方向の外面同士の距離で定義する。
【００８０】
本実施の形態４に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【００８１】
図１４ｄに示すように、室外機１の短手方向の一側面において、上部熱交換器５ａ２と下部熱交換器５ｂとは、外面が互いに短手方向にずれた位置に配置されており、下部熱交換器５ｂの外面が上部熱交換器５ａ２の外面よりも筐体２の内側に配置されている。また、図１４ｃに示すように、室外機１の長手方向の両側面において、上部熱交換器５ａ１、５ａ２と下部熱交換器５ｂとは、外面が長手方向に揃って設置されている。
【００８２】
本実施の形態４では、図１４ｃに示すように、下部熱交換器５ｂが上部熱交換器５ａ２よりも筐体２の内側にずらして配置されているため、下部熱交換器５ｂを通過した風Ｖｂは、上部熱交換器５ａ２を通過した風Ｖａ１よりもファン１２の翼１６の内周側に向かうようになっている。そのため、熱交換器５を通過して上昇する気流の風速分布を短手方向に均一化することができ、ファン１２による吸込み直前の流れを均一化して乱れを低減し、ファン騒音を低減することができる。その結果、ファン１２の騒音低減および熱交換効率向上を図ることができる空気調和機の室外機１が実現できる。
【００８３】
なお、長手方向において上部熱交換器５ａはファン１２の軸線Ａまでの距離が長く、ファン１２に吸込まれる前に上部熱交換器５ａを通過した風Ｖａ２と下部熱交換器５ｂを通過した風Ｖｂとが、ファン１２の径方向に混合される（つまり、均一化される）ため、本実施の形態４では短手方向のみ筐体幅を拡大している。
【００８４】
また、本実施の形態４では、下部熱交換器５ｂは、筐体２の下部の四側面のうちの三側面に配置されており、一側面のみに配置した実施の形態１〜３に比べて、下部熱交換器５ｂの搭載容積が多くなっている。そのため、能力を増加することができるとともに、気流の通過面積を広げたことにより室外機１の低圧損化ができ、送風に必要な動力を削減できる。
【００８５】
実施の形態５．
以下、本発明の実施の形態５について説明するが、実施の形態１〜４と重複するものについては（一部の）説明を省略し、実施の形態１〜４と同じ部分または相当する部分には同じ符号を付す。
図１５は、本発明の実施の形態５に係る空気調和機の室外機１の横断面を説明する図であり、図１５ａは、図１５のＡ−Ａ断面模式図であり、図１５ｂは、図１５のＢ−Ｂ断面模式図であり、図１６は、図１５ａの拡大図であり、図１７は、図１５ａの断面模式図と図１５ｂの断面模式図とを重ね合わせた図であり、図１８は、図１５ａの説明図である。
【００８６】
図１５ａおよび図１５ｂは、筐体２をファン１２の軸線Ａ方向に対して垂直に切った横断面模式図であり、図１５ａは、筐体２の上部の断面模式図であり、図１５ｂは、筐体２の下部の断面模式図である。なお、図１５〜図１８では、ファン１２と熱交換器５との位置関係を示すため、ファン１２を図示している。
【００８７】
本実施の形態５に係る空気調和機の室外機１は、図１５〜図１８に示すように、筐体２の上部を構成する上部熱交換器５ａ１、５ａ２の形状が実施の形態４と異なっており、その他の構成については同様である。
【００８８】
本実施の形態５では、図１５ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【００８９】
また、図１２ｂに示すように、筐体２の下部の側面は、下部熱交換器５ｂと、平面視して略Ｌ字状の下部側面パネル６ｂとで構成されている。下部熱交換器５ｂは、平面視して略逆Ｊ字状を有し、筐体２の下部の四側面のうちの長手方向の一側面および短手方向の両側面を構成するように配置されている。
【００９０】
なお、本実施の形態５に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【００９１】
図１５ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【００９２】
図１５ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部側面パネル６ｂの長手方向の外面長さで定義し、縦幅ｌｂは、下部熱交換器５ｂと、それと向かい合う下部側面パネル６ｂと、の短手方向の外面同士の距離で定義する。
【００９３】
本実施の形態５に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【００９４】
図１６に示すように、上部熱交換器５ａ１は、筐体２の長手方向に配置される第一直線部２０と、筐体２の短手方向に配置される第二直線部２１と、第一直線部２０と第二直線部２１との間の角部２２と、で構成され、第一直線部２０と第二直線部２１とでなす角度２３が鈍角となっている。また、上部熱交換器５ａ２についても上部熱交換器５ａ１と同様である。
【００９５】
図１７に示すように、上部熱交換器５ａは、下部熱交換器５ｂとのずれが、長手方向および短手方向に変化するように配置されている。つまり、上部熱交換器５ａは、筐体２の下部に対して長手方向および短手方向に傾いており、第一直線部２０は、筐体２の下部の長手方向に対して傾いており、第二直線部２１も、筐体２の下部の短手方向に対して傾いている。
【００９６】
ファン１２の軸線Ａから上部熱交換器５ａの外面までの距離を図１８に示すと、実施の形態１〜４に比べて、ファン１２の軸線Ａから上部熱交換器５ａの角部２２の外面までの距離ＸＲが短くなる。そのため、ファン１２と上部熱交換器５ａとの距離がファン１２の回転方向に均一化され、上部熱交換器５ａの通過風速をより均一化することができ、ファン１２の回転方向において吸込み風速分布がより均一化される。その結果、ファン１２の騒音低減および熱交換効率向上を図ることができる空気調和機の室外機１が実現できる。
【００９７】
実施の形態６．
以下、本発明の実施の形態６について説明するが、実施の形態１〜５と重複するものについては（一部の）説明を省略し、実施の形態１〜５と同じ部分または相当する部分には同じ符号を付す。
図１９は、本発明の実施の形態６に係る空気調和機の室外機１の横断面を説明する図であり、図１９ａは、図１９のＡ−Ａ断面模式図であり、図１９ｂは、図１９のＢ−Ｂ断面模式図であり、図２０は、図１９ａの拡大図であり、図２１は、図１９ａの断面模式図と図１９ｂの断面模式図とを重ね合わせた図であり、図２２は、図１９ａの説明図である。
【００９８】
図１９ａおよび図１９ｂは、筐体２をファン１２の軸線Ａ方向に対して垂直に切った横断面模式図であり、図１９ａは、筐体２の上部の断面模式図であり、図１９ｂは、筐体２の下部の断面模式図である。なお、図１９〜図２２では、ファン１２と熱交換器５との位置関係を示すため、ファン１２を図示している。
【００９９】
本実施の形態６に係る空気調和機の室外機１は、図１９〜図２２に示すように、筐体２の上部を構成する上部熱交換器５ａ１、５ａ２の形状が実施の形態５と異なっており、その他の構成については同様である。
【０１００】
本実施の形態６では、図１９ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、２つの平面視して略Ｌ字状の上部熱交換器５ａ１、５ａ２からなり、筐体２の上部の四側面を構成するように配置されている。
【０１０１】
また、図１９ｂに示すように、筐体２の下部の側面は、下部熱交換器５ｂと、平面視して略Ｌ字状の下部側面パネル６ｂとで構成されている。下部熱交換器５ｂは、平面視して略逆Ｊ字状を有し、筐体２の下部の四側面のうちの長手方向の一側面および短手方向の両側面を構成するように配置されている。
【０１０２】
なお、本実施の形態６に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【０１０３】
図１９ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａ１と、それと向かい合う上部側面パネル６ａと、の外面同士の距離で定義し、縦幅Ｌｂは、上部熱交換器５ａ１、５ａ２の外面同士の距離で定義する。
【０１０４】
図１９ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部側面パネル６ｂの長手方向の外面長さで定義し、縦幅ｌｂは、下部熱交換器５ｂと、それと向かい合う下部側面パネル６ｂと、の短手方向の外面同士の距離で定義する。
【０１０５】
本実施の形態６に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【０１０６】
図２０に示すように、上部熱交換器５ａ１は、筐体２の長手方向に配置される第一直線部２０と、筐体２の短手方向に配置される第二直線部２１と、第一直線部２０と第二直線部２１との間の角部２２と、で構成され、第一直線部２０と第二直線部２１とでなす角度２３が鈍角となっている。また、上部熱交換器５ａ２についても上部熱交換器５ａ１と同様である。
【０１０７】
図２１に示すように、上部熱交換器５ａは、下部熱交換器５ｂとのずれが、長手方向にのみ変化するように配置されている。つまり、上部熱交換器５ａは、筐体２の下部に対して長手方向にのみ傾いており、第一直線部２０は、筐体２の下部の長手方向と平行である。
【０１０８】
ファン１２の軸線Ａから上部熱交換器５ａの外面までの距離を図２２に示すと、実施の形態１〜４に比べて、ファン１２の軸線Ａから上部熱交換器５ａの角部２２の外面までの距離ＸＲが短くなる。そのため、ファン１２と上部熱交換器５ａとの距離がファン１２の回転方向に均一化され、上部熱交換器５ａの通過風速をより均一化することができ、ファン１２の回転方向において吸込み風速分布がより均一化される。その結果、ファン１２の騒音低減および熱交換効率向上を図ることができる空気調和機の室外機１が実現できる。
【０１０９】
ここで、図１８に示すように、ファン１２の軸線Ａから上部熱交換器５ａ１、５ａ２の外面までの距離Ｘ２は短いため、実施の形態５のように互いに向かい合う上部熱交換器５ａを短手方向に傾けると、短手方向での上部熱交換器５ａの通過風速が増加してしまう。そのため、それが上部熱交換器５ａの風速を均一化する妨げになっていた。
【０１１０】
そこで、本実施の形態６では、図２２に示すように上部熱交換器５ａを短手方向に傾けず、長手方向にのみ傾けることで、ファン１２の軸線Ａから上部熱交換器５ａの外面までの距離Ｘ２を確保し、短手方向での上部熱交換器５ａの通過風速の増加を防ぐ。これにより、上部熱交換器５ａの風速をより均一化することができ、ファン１２の騒音低減および熱交換効率向上を図ることができる空気調和機の室外機１が実現できる。
【０１１１】
実施の形態７．
以下、本発明の実施の形態７について説明するが、実施の形態１〜６と重複するものについては（一部の）説明を省略し、実施の形態１〜６と同じ部分または相当する部分には同じ符号を付す。
図２３は、本発明の実施の形態７に係る空気調和機の室外機１から筐体２の上面を取り外した斜視図であり、図２４は、本発明の実施の形態７に係る空気調和機の室外機１の横断面および縦断面を説明する図であり、図２４ａは、図２４のＡ−Ａ断面模式図であり、図２４ｂは、図２４のＢ−Ｂ断面模式図である。
【０１１２】
図２４ａおよび図２４ｂは、筐体２をファン１２の軸線Ａ方向に対して垂直に切った横断面模式図であり、図２４ａは、筐体２の上部の断面模式図であり、図２４ｂは、筐体２の下部の断面模式図である。なお、図２４ａおよび図２４ｂでは、ファン１２と熱交換器５との位置関係を示すため、ファン１２を図示している。
【０１１３】
本実施の形態７に係る空気調和機の室外機１は、図２３および図２４に示すように、筐体２の上部を構成する上部熱交換器５ａが２つではなく１つであることを特徴とする。
【０１１４】
本実施の形態７では、図２４ａに示すように、筐体２の上部の側面は、上部熱交換器５ａと、平面視して略Ｌ字状の上部側面パネル６ａと、平面視して略Ｌ字状の支柱７と、で構成されている。上部熱交換器５ａは、平面視して略四角形状を有し、筐体２の上部の四側面を構成するように配置されている。
【０１１５】
また、図２４ｂに示すように、筐体２の下部の側面は、下部熱交換器５ｂと、平面視して略Ｌ字状の下部側面パネル６ｂとで構成されている。下部熱交換器５ｂは、平面視して略逆Ｊ字状を有し、筐体２の下部の四側面のうちの長手方向の一側面および短手方向の両側面を構成するように配置されている。
【０１１６】
なお、本実施の形態７に係る室外機１の筐体２の上部および下部における筐体幅は、後述するように室外機１の内部風路に関連するものであるため、風路を構成する部品により規定する。すなわち、筐体幅は、筐体２の側面を構成する上部熱交換器５ａ、下部熱交換器５ｂ、上部側面パネル６ａ、および、下部側面パネル６ｂにおいて、それらの外面長さ、または互いに向かい合うものの外面同士の距離で定義し、筐体２の角部の支柱７同士の距離は筐体幅としないものとする。
【０１１７】
図２４ａに示すように、筐体２の上部の断面において、横幅Ｌａと縦幅Ｌｂとは長さが異なり、横幅Ｌａは筐体２の上部の長手方向の筐体幅であり、縦幅Ｌｂは筐体２の上部の短手方向の筐体幅である。
筐体２の上部の断面における横幅Ｌａは、上部熱交換器５ａと、それと向かい合う側面パネル６と、の外面同士の距離で定義し、縦幅Ｌｂは、上部熱交換器５ａの短手方向の外面長さで定義する。
【０１１８】
図２４ｂに示すように、筐体２の下部の断面において、横幅ｌａと縦幅ｌｂとは長さが異なり、横幅ｌａは筐体２の下部の長手方向の筐体幅であり、縦幅ｌｂは筐体２の下部の短手方向の筐体幅である。
筐体２の下部の断面における横幅ｌａは、下部側面パネル６ｂの長手方向の外面長さで定義し、縦幅ｌｂは、下部熱交換器５ｂと、それと向かい合う下部側面パネル６ｂと、の短手方向の外面同士の距離で定義する。
【０１１９】
本実施の形態７に係る空気調和機の室外機１では、横幅Ｌａ、ｌａが縦幅Ｌｂ、ｌｂよりも長く、縦幅Ｌｂが縦幅ｌｂよりも長いことを特徴とする。なお、横幅Ｌａと横幅ｌａは同じである。
【０１２０】
実施の形態１〜６に係る上部熱交換器５ａは、ファン１２の回転方向に２分割されているのに対し、本実施の形態７に係る上部熱交換器５ａは、図２４ａに示すようにファン１２の回転方向１７に一体形成されている。熱交換器５が分割されている場合、熱交換器５で囲まれた領域と熱交換器５で囲まれない領域とでファン１２の回転方向に風速分布に偏りが生じるため、一体形成することにより、上部熱交換器５ａの風速をより均一化することができる。その結果、ファン１２の回転方向において吸込み風速分布をより均一化することができ、ファン１２の騒音低減および熱交換効率向上を図ることができる空気調和機の室外機１が実現できる。
【０１２１】
実施の形態８．
以下、本発明の実施の形態８について説明するが、実施の形態１〜７と重複するものについては（一部の）説明を省略し、実施の形態１〜７と同じ部分または相当する部分には同じ符号を付す。
図２５は、本発明の実施の形態８に係る空気調和機の室外機１の縦断面を説明する図であり、図２５ａは、図２５のＤ−Ｄ断面模式図である。
【０１２２】
図２５ａは、筐体２をファン１２の軸線Ａ方向に対して平行に切った縦断面模式図であり、ファン１２の軸線Ａを含む短手方向の断面模式図である。
【０１２３】
本実施の形態８に係る空気調和機の室外機１は、図２５ａに示すように、室外機１の短手方向の一側面において、互いに短手方向にずれた位置に配置されている上部熱交換器５ａと下部熱交換器５ｂとの間に中間板２５が設けられていることを特徴とする。
【０１２４】
図２５ａに示すように、室外機１の短手方向の一側面において、上部熱交換器５ａと下部熱交換器５ｂとは、外面が互いに短手方向にずれた位置に配置されており、下部熱交換器５ｂが上部熱交換器５ａよりも筐体２の内側にずらして配置されている。そして、上部熱交換器５ａと下部熱交換器５ｂとの間に、室外機１の外部から内部への気流の通過を防ぐ中間板２５が設けられている。
【０１２５】
なお、中間板２５は、本発明の「第二遮風板」に相当する。
【０１２６】
本実施の形態８のように、上部熱交換器５ａと下部熱交換器５ｂとを、互いにずれた位置に配置すると、上部熱交換器５ａと下部熱交換器５ｂとの合わせ目（継ぎ目）で隙間が生じ、熱交換器５を通過しないでその隙間を通過する気流が発生する。
そこで、上下に分割された上部熱交換器５ａと下部熱交換器５ｂとの間に中間板２５を設け、隙間からの漏れを無くすことにより室外機１の熱交換量を確保することができる。
【０１２７】
実施の形態９．
以下、本発明の実施の形態９について説明するが、実施の形態１〜８と重複するものについては（一部の）説明を省略し、実施の形態１〜８と同じ部分または相当する部分には同じ符号を付す。
図２６は、本発明の実施の形態９に係る空気調和機の室外機１の縦断面を説明する図であり、図２６ａは、図２６のＤ−Ｄ断面模式図であり、図２７ａは、本発明の実施の形態９に係る空気調和機の室外機１の設置例を示す斜視図であり、図２７ｂは、本発明の実施の形態９に係る空気調和機の室外機１の設置例を示す正面視図である。
【０１２８】
図２６ａは、筐体２をファン１２の軸線Ａ方向に対して平行に切った縦断面模式図であり、ファン１２の軸線Ａを含む短手方向の断面模式図である。
【０１２９】
本実施の形態９に係る空気調和機の室外機１は、図２６に示すように、筐体２の角部の支柱７が天板８から底板９まで縦方向（鉛直方向）に連続したものであり、図２６ａに示すように底板９の短手方向の幅ｌｃが筐体２の下部の縦幅ｌｂよりも長いことを特徴とする。
【０１３０】
図２７ａに示すようにビルなどの屋上の梁２４近くに設置される場合、梁２４によって下部熱交換器５ｂへの流入が遮られ、熱交換性能が低下するおそれがある。
そこで、底板９の短手方向の幅ｌｃを筐体２の下部の縦幅ｌｂよりも長くすることにより、および図２７ｂに示すように室外機１の設置時に梁２４と下部熱交換器５ｂと間に隙間ができるため、下部熱交換器５ｂの梁２４の高さ以下に置かれた部分を通過する風Ｖｂ２を遮らないようにすることができ、熱交換性能を向上させることができる。また、筐体２の構造を簡略化でき、支柱７を高さ方向に一部品にまとめることができる。そのため、製造コスト低減および組み立てを容易にすることができる。
【符号の説明】
【０１３１】
１  室外機、２  筐体、３  ユニット内機器、４ａ  吸込み口、４ｂ  吸込み口、５  熱交換器、５ａ  上部熱交換器、５ａ１  上部熱交換器、５ａ２  上部熱交換器、５ｂ  下部熱交換器、６  側面パネル、６ａ  上部側面パネル、６ｂ  下部側面パネル、７  支柱、８  天板、９  底板、１０  吹出し口、１１  ベルマウス、１２  ファン、１３  ファンモータ、１４  モータサポート、１５  ボス、１６  翼、１７  （ファンの）回転方向、１８  ガード、２０  第一直線部、２１  第二直線部、２２  （上部熱交換器の）角部、２３  角度、２４  梁、２５  中間板、３０  送風機、５０  筐体、５１  上部熱交換器、５２  ファン。
【図１】
2016181560.tif 000003
【図２】
2016181560.tif 000004
【図３】
2016181560.tif 000005
【図３ａ】
2016181560.tif 000006
【図３ｂ】
2016181560.tif 000007
【図４】
2016181560.tif 000008
【図４ａ】
2016181560.tif 000009
【図４ｂ】
2016181560.tif 000010
【図５】
2016181560.tif 000011
【図５ａ】
2016181560.tif 000012
【図５ｂ】
2016181560.tif 000013
【図６】
2016181560.tif 000014
【図７】
2016181560.tif 000015
【図７ａ】
2016181560.tif 000016
【図７ｂ】
2016181560.tif 000017
【図８ａ】
2016181560.tif 000018
【図８ｂ】
2016181560.tif 000019
【図９】
2016181560.tif 000020
【図１０】
2016181560.tif 000021
【図１０ａ】
2016181560.tif 000022
【図１０ｂ】
2016181560.tif 000023
【図１０ｃ】
2016181560.tif 000024
【図１１】
2016181560.tif 000025
【図１２】
2016181560.tif 000026
【図１２ａ】
2016181560.tif 000027
【図１２ｂ】
2016181560.tif 000028
【図１２ｃ】
2016181560.tif 000029
【図１３】
2016181560.tif 000030
【図１４】
2016181560.tif 000031
【図１４ａ】
2016181560.tif 000032
【図１４ｂ】
2016181560.tif 000033
【図１４ｃ】
2016181560.tif 000034
【図１４ｄ】
2016181560.tif 000035
【図１５】
2016181560.tif 000036
【図１５ａ】
2016181560.tif 000037
【図１５ｂ】
2016181560.tif 000038
【図１６】
2016181560.tif 000039
【図１７】
2016181560.tif 000040
【図１８】
2016181560.tif 000041
【図１９】
2016181560.tif 000042
【図１９ａ】
2016181560.tif 000043
【図１９ｂ】
2016181560.tif 000044
【図２０】
2016181560.tif 000045
【図２１】
2016181560.tif 000046
【図２２】
2016181560.tif 000047
【図２３】
2016181560.tif 000048
【図２４】
2016181560.tif 000049
【図２４ａ】
2016181560.tif 000050
【図２４ｂ】
2016181560.tif 000051
【図２５】
2016181560.tif 000052
【図２５ａ】
2016181560.tif 000053
【図２６】
2016181560.tif 000054
【図２６ａ】
2016181560.tif 000055
【図２７ａ】
2016181560.tif 000056
【図２７ｂ】
2016181560.tif 000057
【国際調査報告】
2016181560.tif 000058
2016181560.tif 000059
2016181560.tif 000060
2016181560.tif 000061
2016181560.tif 000062
2016181560.tif 000063